(57)【要約】【課題】端末が効率的に干渉信号に関する情報を知り、受信処理で干渉を軽減することによってスループットの向上が可能な基地局装置、端末装置及び通信方法を提供すること。【解決手段】基地局装置と通信する端末装置であって、前記基地局装置からマルチユーザ重畳送信（ＭＵＳＴ）を設定される上位層処理部と、前記ＭＵＳＴが設定された場合、電力割当て情報及び干渉の有無、及び、近い端末か遠い端末かの指示又は重畳送信方式のいずれかを含む下りリンク制御情報を受信する受信部と、を備える。【選択図】図８
2019024147.tif 000002
【特許請求の範囲】
【請求項１】
基地局装置と通信する端末装置であって、
前記基地局装置からマルチユーザ重畳送信（ＭＵＳＴ）を設定される上位層処理部と、
前記ＭＵＳＴが設定された場合、電力割当て情報及び干渉の有無、及び、近い端末か遠い端末かの指示又は重畳送信方式のいずれかを含む下りリンク制御情報を受信する受信部と、を備える端末装置。
【請求項２】
前記電力割当て情報、干渉の有無及び近い端末か遠い端末かは、１つのテーブルで特定する請求項１に記載の端末装置。
【請求項３】
前記電力割当て情報は、近い端末の電力比及び遠い端末の電力比である請求項２に記載の端末装置。
【請求項４】
前記電力割当て情報、干渉の有無及び重畳送信方式は、１つのテーブルで特定する請求項１に記載の端末装置。
【請求項５】
前記近い端末か遠い端末かの指示によって異なるテーブルを参照し、前記電力割当ての情報及び干渉の有無を特定する請求項１に記載の端末装置。
【請求項６】
端末装置と通信する基地局装置であって、
前記端末装置に対しマルチユーザ重畳送信（ＭＵＳＴ）を設定する上位層処理部と、
前記ＭＵＳＴを設定した場合、電力割当て情報及び干渉の有無、及び、近い端末か遠い端末かの指示又は重畳送信方式のいずれかを含む下りリンク制御情報を送信する送信部と、を備える基地局装置。
【請求項７】
基地局装置と通信する端末装置における通信方法であって、
前記基地局装置からマルチユーザ重畳送信（ＭＵＳＴ）を設定される上位層処理ステップと、
前記ＭＵＳＴが設定された場合、電力割当て情報及び干渉の有無、及び、近い端末か遠い端末かの指示又は重畳送信方式のいずれかを含む下りリンク制御情報を受信する受信ステップと、を備える通信方法。
【請求項８】
端末装置と通信する基地局装置における通信方法であって、
前記端末装置に対しマルチユーザ重畳送信（ＭＵＳＴ）を設定する上位層処理ステップと、
前記ＭＵＳＴを設定した場合、電力割当て情報及び干渉の有無、及び、近い端末か遠い端末かの指示又は重畳送信方式のいずれかを含む下りリンク制御情報を送信する送信ステップと、を備える通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、
送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、システム容量の増大や通信機会の向上のために、複数の端末装置を非直交多重して送信する技術や重畳符号化に基づくマルチユーザ伝送の検討が進められている。基地局装置で複数の端末装置を非直交多重して送信するため、ユーザ間干渉が生じる。従って、端末装置はユーザ間干渉を除去または抑圧する必要がある。上記のことは非特許文献１に記載されている。ユーザ間干渉をキャンセルする技術としては、例えば、干渉信号を干渉除去する干渉キャンセラや最尤検出（Ｍａｘｉｍｕｍ  Ｌｉｋｅｌｉｈｏｏｄ  Ｄｅｔｅｃｔｉｏｎ）などがある。
【先行技術文献】
【非特許文献】
【０００４】
【非特許文献１】“Study on Downlink Multiuser Superposition Transmission for LTE、”  ３ＧＰＰ  ＴＳＧ  ＲＡＮ  Ｍｅｅｔｉｎｇ  ＃６７、２０１５年３月。
【発明の概要】
【発明が解決しようとする課題】
【０００５】
しかしながら、端末装置でユーザ間干渉を除去又は抑圧するためには、端末装置は、干渉信号を復調／復号するためのパラメータ等、干渉信号に関する情報を知る必要がある。
【０００６】
本発明はこのような事情を鑑みてなされたものであり、その目的は、端末が効率的に干渉信号に関する情報を知り、受信処理で干渉を軽減することによってスループットの向上が可能な基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
本発明の端末装置は、基地局装置と通信する端末装置であって、前記基地局装置からマルチユーザ重畳送信（ＭＵＳＴ）を設定される上位層処理部と、前記ＭＵＳＴが設定された場合、電力割当て情報及び干渉の有無、及び、近い端末か遠い端末かの指示又は重畳送信方式のいずれかを含む下りリンク制御情報を受信する受信部と、を備える。
【０００９】
また本発明の端末装置において、前記電力割当て情報、干渉の有無及び近い端末か遠い端末かは、１つのテーブルで特定する。
【００１０】
また本発明の端末装置において、前記電力割当て情報は、近い端末の電力比及び遠い端
末の電力比である。
【００１１】
また本発明の端末装置において、前記電力割当て情報、干渉の有無及び重畳送信方式は、１つのテーブルで特定する。
【００１２】
また本発明の端末装置において、前記近い端末か遠い端末かの指示によって異なるテーブルを参照し、前記電力割当ての情報及び干渉の有無を特定する。
【００１３】
また本発明の基地局装置は、端末装置と通信する基地局装置であって、前記端末装置に対しマルチユーザ重畳送信（ＭＵＳＴ）を設定する上位層処理部と、前記ＭＵＳＴを設定した場合、電力割当て情報及び干渉の有無、及び、近い端末か遠い端末かの指示又は重畳送信方式のいずれかを含む下りリンク制御情報を送信する送信部と、を備える。
【００１４】
また本発明の通信方法は、基地局装置と通信する端末装置における通信方法であって、前記基地局装置からマルチユーザ重畳送信（ＭＵＳＴ）を設定される上位層処理ステップと、前記ＭＵＳＴが設定された場合、電力割当て情報及び干渉の有無、及び、近い端末か遠い端末かの指示又は重畳送信方式のいずれかを含む下りリンク制御情報を受信する受信ステップと、を備える。
【００１５】
また本発明の通信方法は、端末装置と通信する基地局装置における通信方法であって、前記端末装置に対しマルチユーザ重畳送信（ＭＵＳＴ）を設定する上位層処理ステップと、前記ＭＵＳＴを設定した場合、電力割当て情報及び干渉の有無、及び、近い端末か遠い端末かの指示又は重畳送信方式のいずれかを含む下りリンク制御情報を送信する送信ステップと、を備える。
【発明の効果】
【００１６】
本発明によれば、干渉信号を軽減することができ、スループットや端末装置の通信機会を向上させることができる。
【図面の簡単な説明】
【００１７】
【図１】本実施形態に係る通信システムの例を示す図である
【図２】本実施形態に係る電力比の一例を示すテーブルである
【図３】本実施形態に係る電力比の一例を示すテーブルである
【図４】本実施形態に係る電力比の一例を示すテーブルである
【図５】本実施形態に係る電力比の一例を示すテーブルである
【図６】本実施形態に係る電力比の一例を示すテーブルである
【図７】本実施形態に係る基地局装置の構成例を示すブロック図である
【図８】本実施形態に係る端末装置の構成例を示すブロック図である
【発明を実施するための形態】
【００１８】
本実施形態における通信システムは、基地局装置（送信装置、セル、サービングセル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００１９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２０】
図１は、本実施形態に係る通信システムの例を示す図である。図１に示すように、本実
施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００２１】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２２】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２３】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００２４】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００２５】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２６】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２７】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００２８】
例えば、パワーヘッドルームは、ＭＡＣ  ＣＥに含まれ、ＰＵＳＣＨを経由して報告さ
れても良い。すなわち、ＭＡＣ  ＣＥのフィールドが、パワーヘッドルームのレベルを示すために用いられても良い。
【００２９】
ＰＲＡＣＨは、ランダムアクセスプリアンブルを送信するために用いられる。
【００３０】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３１】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３２】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３３】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００３４】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３５】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３６】
例えば、下りリンクに対するＤＣＩフォーマットとして、１つのセルにおける１つのＰ
ＤＳＣＨ（１つの下りリンクトランスポートブロックの送信）のスケジューリングに使用されるＤＣＩフォーマット１Ａが定義される。
【００３７】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３８】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３９】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４０】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding
type Indicator）などが該当する。
【００４１】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４２】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４３】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４４】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を
送信する。
【００４５】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４６】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４７】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００４８】
ここで、ＲＲＣメッセージおよび／またはＭＡＣ  ＣＥを、上位層の信号（higher layer signaling）とも称する。
【００４９】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５０】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００５１】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５２】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５３】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Infor
mation - Reference Signal）、ＺＰ  ＣＳＩ−ＲＳ（Zero Power Chanel State Information - Reference Signal）が含まれる。
【００５４】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５５】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５６】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００５７】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００５８】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５９】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６０】
基地局装置は、時間、周波数及び空間（例えば、アンテナポート、ビームパターン、プリコーディングパターン）でリソースを分割することなく複数の端末装置を多重することができる。時間／周波数／空間でリソースを分割することなく複数の端末装置を多重することを、以下では非直交多元接続（NOMA；Non Orthogonal Multiple Access）、マルチユーザ重畳送信（MUST；Multiuser  Superposition  Transmission）、非直交多重とも称する。以下では、２つの端末装置を非直交多重する場合を説明するが、本発明はこれに限らず、３つ以上の端末装置を非直交多重することも可能である。
【００６１】
基地局装置は非直交多重する複数の端末装置に対して、共通の端末装置固有参照信号を送信することができる。つまり、基地局装置は、複数の端末装置に対して、時間／周波数／空間で同じリソース、同じ参照信号系列を用いて参照信号を送信することができる。また、基地局装置は端末装置に対し送信モードを設定することができる。基地局装置は、所定の送信モードを設定する場合に、ＭＵＳＴによる送信をすることができる。また、基地
局装置は、所定の送信モード以外の送信モード又はＭＵＳＴが設定されていない場合に、ＭＵＳＴによる送信をしないとすることができる。言い換えると、端末装置は、設定された送信モードやＭＵＳＴ設定の有無によって、ＭＵＳＴによる送信か否かを判断することができる。
【００６２】
また、基地局装置は、端末装置２Ａに対しＣＲＳベースの送信モードを設定した場合、端末装置２Ｂに対してＣＲＳベースの送信モードを設定することができる。また、基地局装置は、端末装置２Ａに対しＤＭＲＳベースの送信モードを設定した場合、端末装置２Ｂに対してＣＲＳ／ＤＭＲＳベースの送信モードを設定することができる。ＣＲＳベースの送信モードは、ＣＲＳを用いて復調する送信モードであり、例えば、送信モード１〜６のいずれかである。但し、このいずれかの送信モードに限るものではない。また、ＤＭＲＳベースの送信モードは、端末固有参照信号を用いて復調する送信モードであり、例えば送信モード８〜１０のいずれかである。但し、このいずれかの送信モードに限るものではない。
【００６３】
図１の基地局装置１Ａが、端末装置２Ａと端末装置２Ｂを非直交多重する場合を例に説明する。特に断りがない限り、端末装置２Ａの方が端末装置２Ｂと比べて、基地局装置１Ａに近い又は受信品質が良いとする。また、端末装置２Ａのことを基地局装置に近い端末装置（near-UE）、端末装置２Ｂのことを基地局装置から遠い端末装置（far-UE）とも呼
称する。また、以下の説明では、端末装置２Ａに対するＰＤＳＣＨをＰＤＳＣＨ１（第１のＰＤＳＣＨ）、端末装置２Ｂに対するＰＤＳＣＨをＰＤＳＣＨ２（第２のＰＤＳＣＨ）とも称する。また、端末装置２Ａと２ＢはそれぞれＭＵＳＴの送信モードに設定されている、ＭＵＳＴの送信モードに設定されていないとしても良いし、ＭＵＳＴ送信が構成されている、ＭＵＳＴ送信が構成されていないとしても良いし、Ｒ−ＭＬもしくはＳＬＩＣによる信号検出が必須、Ｒ−ＭＬもしくはＳＬＩＣをしなくても良いとして良い。また、端末装置２Ａと２ＢはそれぞれＭＵＳＴが可能な端末、ＭＵＳＴが可能でない端末としても良いし、干渉信号に関する情報を制御信号で受信する、干渉信号に関する情報を制御信号で受信しないとしても良い。また、以下の説明では、基地局装置はＰＤＳＣＨでＭＵＳＴする場合を主に説明するが、その他のチャネル（例えばＰＭＣＨ、ＰＤＣＣＨ、ＥＰＤＣＣＨ）でもＭＵＳＴを適用することができる。また、複数のチャネルでＭＵＳＴする場合、各チャネルで異なる重畳送信方式や以下で説明するＭＵＳＴカテゴリでＭＵＳＴを適用することができる。また、複数のチャネルでＭＵＳＴを適用する場合、各チャネルで異なる受信方式を想定することができる。例えば、ＰＤＳＣＨではシンボルレベルの受信方式、ＰＭＣＨではコードワードレベルの受信方式とすることができる。
【００６４】
基地局装置１Ａが端末装置２Ａ、２Ｂを非直交多重して送信する場合、いくつか送信方法がある。例えば、基地局装置１Ａは、端末装置２Ａ、２Ｂに対して、同じコンスタレーションのＱＰＳＫ／１６ＱＡＭ／６４ＱＡＭ／２５６ＱＡＭのマッピングを用いて重畳送信することができる。このような重畳送信方式をＭＵＳＴカテゴリ１とも称する。この場合、端末装置２Ａ、２Ｂを合成したコンスタレーションは非グレイ符号のコンスタレーションとなる。またこの場合、基地局装置１Ａは端末装置２Ａ、２Ｂに対して様々な比率の電力を割当てても良い。この場合、端末装置２Ａは、端末装置２Ｂのマッピングパターンは自身と同じと想定して干渉信号を除去又は抑圧する。
【００６５】
また、例えば、基地局装置１Ａは、端末装置２Ａ、２Ｂを合成したコンスタレーションがグレイ符号のコンスタレーションになるように、端末装置２Ａ、２Ｂに対して異なるコンスタレーションを用いて重畳送信することができる。このような重畳送信方式をＭＵＳＴカテゴリ２とも称する。またこの場合、基地局装置１Ａは端末装置２Ａ、２Ｂに対して様々な比率の電力を割当てても良い。この場合、端末装置２Ａは、端末装置２Ｂのマッピングパターンは自身とは異なると想定して干渉信号を除去又は抑圧する。
【００６６】
また、例えば、基地局装置１Ａは、端末装置２Ａ、２Ｂ宛ての送信ビット列を既存のＱＰＳＫ／１６ＱＡＭ／６４ＱＡＭ／２５６ＱＡＭのコンスタレーションとなるようにマッピングして重畳送信することができる。このような重畳送信方式をＭＵＳＴカテゴリ３とも称する。またこの場合、基地局装置１Ａはマッピングするコンスタレーションに従って端末装置２Ａ、２Ｂの電力を割当てることができる。この場合、端末装置２Ａは、既存マッピングの復調を行い、得られたビットの一部を自身宛のビットとする。
【００６７】
基地局装置が複数の端末装置宛の信号を非直交多重して送信した場合、ＰＤＳＣＨ１とＰＤＳＣＨ２は互いに干渉となる。この場合、少なくとも端末装置２Ａは、強い干渉信号を受信するため、干渉信号のハンドリング、除去または抑圧をする必要がある。このような干渉信号をマルチユーザ干渉、ユーザ間干渉、マルチユーザ伝送による干渉、同一チャネル干渉などと言う。干渉信号を除去又は抑圧するためには、例えば、干渉信号の復調又は復号結果から求められる干渉信号レプリカ信号を受信信号から減算する。干渉信号を除去又は抑圧するためには、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ）、送信信号候補の中から最もそれらしいものを探索する最尤検出（ＭＬＤ：Ｍａｘｉｍｕｍ  Ｌｉｋｅｌｉｈｏｏｄ  Ｄｅｔｅｃｔｉｏｎ）、干渉信号を線形演算によって抑圧するＥＭＭＳＥ−ＩＲＣ（Enhanced Minimum Mean Square Error-Interference Rejection Combining）などがある。
【００６８】
端末装置２Ａは、干渉信号の除去又は抑圧に必要なパラメータを、基地局装置から受信もしくはブラインド検出によって検出することができる。端末装置２Ｂは、干渉信号の除去または抑圧をしてもよいし、しなくてもよい。端末装置２Ｂが干渉信号を除去または抑圧しない場合、干渉信号電力は比較的小さいため、端末装置２Ｂは、干渉信号に関するパラメータを知らなくても、自装置宛の信号を復調することができる。つまり、基地局装置１Ａが端末装置２Ａ及び２Ｂを非直交多重する場合、端末装置２Ａは、非直交多重による干渉信号を除去又は抑圧する機能を備える必要があるが、端末装置２Ｂは干渉除去又は抑圧する機能を備えても、備えなくてもよい。言い換えると、基地局装置１Ａは、非直交多重をサポートしている端末装置と非直交多重をサポートしていない端末装置を非直交多重することができる。また、別の言い方では、基地局装置１Ａは、異なる送信モードが設定されている端末装置を非直交多重することができる。従って、各端末装置の通信機会を向上させることができる。
【００６９】
基地局装置１Ａは、干渉となる端末装置（この例では端末装置２Ｂ）に関する情報（アシスト情報、補助情報、制御情報、設定情報）を、端末装置２Ａに対して送信する。基地局装置１Ａは、上位層の信号または物理層の信号（制御信号、ＰＤＣＣＨ、ＥＰＤＣＣＨ）で、干渉となる端末装置に関する情報（ＭＵＳＴアシスト情報、ＭＵＳＴ情報）を送信することができる。
【００７０】
ＭＵＳＴアシスト情報には、ＰＡに関する情報、送信モード（送信方式）に関する情報、端末固有参照信号の送信電力に関する情報、ＰＤＳＣＨに関する電力割当て情報、ＰＭＩ、サービングセルのＰＡに関する情報、サービングセルの端末固有参照信号の送信電力に関する情報、変調方式、ＭＣＳ（Ｍｏｄｕｌａｔｉｏｎ  ａｎｄ  Ｃｏｄｉｎｇ  Ｓｃｈｅｍｅ）、リダンダンシーバージョン、Ｃ（Ｃｅｌｌ）−ＲＮＴＩ（Ｒａｄｉｏ  Ｎｅｔｗｏｒｋ  Ｔｅｍｐｏｒａｒｙ  Ｉｄｅｎｔｉｆｉｅｒ）、ＳＰＳ（Ｓｅｍｉ−Ｐｅｒｓｉｓｔｅｎｔ Ｓｃｈｅｄｕｌｉｎｇ）  Ｃ−ＲＮＴＩ、ＭＵＳＴ−ＲＮＴＩ、基地局
装置に近い端末装置（near-UE）か遠い端末装置（far-UE）かを示す情報、ＭＵＳＴカテ
ゴリ（方式）、コードワードインデックス、レイヤインデックス、トランスポートブロッ
クインデックス、物理チャネル情報の一部または全部が含まれる。
【００７１】
なお、ＰＡは、ＣＲＳが配置されていないＯＦＤＭシンボルにおけるＰＤＳＣＨとＣＲＳの送信電力比（電力オフセット）に基づく情報である。また、送信モード（送信方式）に関する情報は、干渉信号の送信モードや基地局装置１Ａが設定できる（設定する可能性のある）送信モードの候補など、端末装置２Ａが干渉信号の送信モードを知る（検出する）ためのアシスト情報である。送信方式は、送信ダイバーシチ、Ｌａｒｇｅ  Ｄｅｌａｙ
ＣＤＤ（Cyclic Delay Diversity）、Ｏｐｅｎ−ｌｏｏｐ  ＭＩＭＯ、Ｃｌｏｓｅｄ−ｌｏｏｐ  ＭＩＭＯなどである。またコードワード／レイヤ／トランスポートブロックインデックスは、複数のコードワード／レイヤ／トランスポートブロックで送信された場合にどのコードワード／レイヤ／トランスポートブロックでＭＵＳＴが適用されたかを示す情報である。また、物理チャネル情報は、どの物理チャネルでＭＵＳＴが適用されたかを示す情報であり、例えば、ＰＤＳＣＨやＰＭＣＨを示すことができる。
【００７２】
また、基地局装置に近い端末装置及び遠い端末装置は、近い端末装置はＭＵＳＴによる干渉除去または抑圧をする、遠い端末装置はＭＵＳＴによる干渉除去または抑圧しない、を意味してもよい。また、基地局装置に近い端末装置及び遠い端末装置は、近い端末装置は遠い端末よりも割当て電力が小さい、ことを意味してもよい。また、基地局装置に近い端末装置及び遠い端末装置は、近い端末装置は電力比が０．５よりも小さく、遠い端末装置は電力比が０．５以上であること、を意味してもよい。また、基地局装置に近い端末装置及び遠い端末装置は、近い端末装置は遠い端末よりも変調多値数又はＭＣＳが低いことを意味してもよい。
【００７３】
また、上記のＭＵＳＴアシスト情報に含まれるパラメータの各々は、１つの値（候補、リスト）が設定されても良いし、複数の値（候補、リスト）が設定されても良い。複数の値が設定された場合は、端末装置は、そのパラメータについては、複数の値から干渉信号に設定されているパラメータを検出（ブラインド検出）する。また、上記のＭＵＳＴアシスト情報に含まれるパラメータの一部または全部は、上位層の信号で送信される。また、上記のＭＵＳＴアシスト情報に含まれるパラメータの一部または全部は、物理層の信号で送信される。
【００７４】
また、ＭＵＳＴアシスト情報は、様々な測定を行うときに用いられても良い。測定は、ＲＲＭ（Ｒａｄｉｏ  Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定を含む。
【００７５】
また、端末装置２Ａが複数のコンポーネントキャリア（ＣＣ：Ｃｏｍｐｏｎｅｎｔ  Ｃａｒｒｉｅｒ）を合わせて広帯域伝送を行うキャリアアグリゲーション（Ｃａｒｒｉｅｒ
Ａｇｇｒｅｇａｔｉｏｎ：ＣＡ）をサポートしている場合、基地局装置１Ａはプライマリセル（Ｐｒｉｍａｒｙ  Ｃｅｌｌ：ＰＣｅｌｌ）及び／又はセカンダリセル（Ｓｅｃｏｎｄａｒｙ  Ｃｅｌｌ：ＳＣｅｌｌ）に対するＭＵＳＴアシスト情報を設定することができる。また、基地局装置１Ａは、ＭＵＳＴアシスト情報をＰＣｅｌｌのみに対して設定又は送信することもできる。
【００７６】
また、端末装置２Ａ／２Ｂが隣接セルからのＣＲＳ／ＰＤＳＣＨ干渉を除去又は抑圧するＮＡＩＣＳ（Network Assisted Interference Cancellation and Suppression）をサポートしている場合、基地局装置は、端末装置２Ａ／２Ｂに、隣接セルからの干渉を除去するために使われるＮＡＩＣＳアシスト情報を送信することができる。ＮＡＩＣＳアシスト情報は、物理セルＩＤ、ＣＲＳアンテナポート数、ＭＢＳＦＮサブフレーム構成、ＰＡのリスト、ＰＢ、送信モードのリスト、リソース割当て粒度の一部又は全部を含む。なお、ＰＢはＣＲＳが配置されているＯＦＤＭシンボルにおけるＰＤＳＣＨとＣＲＳが配置され
ていないＯＦＤＭシンボルにおけるＰＤＳＣＨの電力比を表す。
【００７７】
なお、基地局装置は、端末装置に対して、ＭＵＳＴアシスト情報とＮＡＩＣＳアシスト情報を同時に設定しないことができる。つまり、ＮＡＩＣＳアシスト情報が設定されている場合、ＭＵＳＴアシスト情報は設定されない。または、ＭＵＳＴアシスト情報が設定されている場合、ＮＡＩＣＳアシスト情報は設定されない。また、端末装置は、ＭＵＳＴアシスト情報とＮＡＩＣＳアシスト情報が同時に設定された場合、どちらか一方のアシスト情報に基づいて干渉を除去又は抑圧することができる。例えば、端末装置は、ＭＵＳＴアシスト情報とＮＡＩＣＳアシスト情報が同時に設定された場合、ＭＵＳＴアシスト情報又はＮＡＩＣＳアシスト情報のみに基づいて干渉を除去又は抑圧することができる。
【００７８】
端末装置２Ａは、上位層の信号及び／又は物理層の信号で、ＭＵＳＴアシスト情報を受信し、ＭＵＳＴアシスト情報に基づいて、干渉信号を除去または抑圧するためのパラメータを検出（特定）し、前記パラメータを用いて干渉信号を除去又は抑圧する。なお、端末装置２Ａは、ＭＵＳＴ情報に含まれていないパラメータについて、パラメータの候補を順に検出を試みるブラインド検出によって、検出することができる。
【００７９】
電力割当て情報は、上位層又は物理層でテーブルやリストが設定され、基地局装置が物理層の信号でそのインデックスをシグナリングすることで端末装置に電力比を指示することができる。端末装置は、基地局装置から受信したＭＵＳＴ設定及びインデックスから、テーブルやリストを参照して電力比を得ることができる。図２から図６は電力割当て情報の例である。
【００８０】
図２の例では、８通りの値に対して電力比が対応している。例えばテーブルの値が１の場合、自装置の電力比を０．１、ＭＵＳＴのペアとなる端末装置の電力比は1−０．１＝
０．９と求めることができる。当然、このペアとなる電力比もテーブルで示されても良い。また、テーブルの値が０のときは、ペアとなる端末装置の電力比は０となるため、干渉信号がないことも示している。つまり図２では、ＭＵＳＴ干渉の有無を示すこともできる。
【００８１】
図３の例では、電力比に加え、テーブルの値が７である場合、自装置がfar-UEであることを示している。それ以外の値は、near-UE又は干渉なしであることを示している。つま
り、図３の例では、端末装置がnear-UEなのかfar-UEなのかを示すことができる。また、
基地局装置から値が７でfar-UEと指示された場合、端末装置は既定の電力比もしくは基地局装置から指示された電力比を用いて（想定して）復調することができる。
【００８２】
図４の例では、テーブルの値が０の場合は干渉無し、値が１、２、３、４の場合はnear-UE及び電力比、値が５、６、７の場合はfar-UE及び電力比を示すことができる。つまり
、near-UE用とfar-UE用では、電力比の候補数や電力比の範囲は異なっても良い。また、
基地局装置は、far-UEに電力比0.9を割当てる場合、端末装置にはテーブルの値を０（つ
まり電力比１．０）と指示することができる。
【００８３】
図５の例では、テーブルの値が０の場合は干渉無し、値１から６の場合は電力比、値が７の場合は既存マッピング（もしくはMUSTカテゴリ３）であることを示すことができる。既存マッピングを示す場合、２つの端末装置のビット列がマッピングされる変調方式（つまり、１６ＱＡＭ、６４ＱＡＭ、２５６ＱＡＭ）によって、電力比が分かる。なお、far-UEの変調方式がＱＰＳＫの場合、自装置の変調方式によって、電力比がわかる。
【００８４】
図６の例は、基地局装置は端末装置に対し、near-UEかfar-UEかを物理層又は上位層の
信号で指示する。端末装置はnear-UEかfar-UEかの指示によって、異なるテーブルを参照
する。例えば、基地局装置が端末装置にテーブルの値１を指示したとする。このとき、near-UEの場合は電力比を０．１と求めることができ、far-UEの場合は電力比を０．９と求
めることができる。
【００８５】
なお、図２から図６の数値は、一例であり、基地局装置が電力比の値を設定することもできるし、固定の値を用いることもできる。また、基地局装置が設定できる電力比の値は、電力比リスト（候補）の中から一部を選択した値であってもよいし、基地局装置が自由に値を設定できてもよい。
【００８６】
また、基地局装置は、送信モードによって、下りリンク制御情報の内容を変更することができる。例えばＣＲＳベースの送信モードの場合、基地局装置は、電力割当て情報を下りリンク制御情報に含めて送信する。ＤＭＲＳベースの場合、基地局装置は、ＣＲＳベースの送信モードの場合に電力割当て情報に用いたビットを、例えば干渉信号のアンテナポートやＰＭＩなど、別の情報に置き換える。言い換えると、端末装置は、下りリンク制御情報に含まれるあるフィールドから、ＣＲＳベースの送信モードで設定された場合は電力割当て情報を得ることができ、ＤＭＲＳベースの送信モードの場合は干渉信号のアンテナポートやＰＭＩなどの別の情報を得ることができる。また、端末装置は、ＤＭＲＳベースの送信モードの場合、電力割当て情報は、自身及びＭＵＳＴペアとなる端末装置の端末装置固有参照信号から得ることができる。
【００８７】
図７は、本実施形態における基地局装置１Ａの構成を示す概略ブロック図である。図７に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００８８】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００８９】
上位層処理部１０１は、端末装置の機能（UE capability）等、端末装置に関する情報
を端末装置から受信する。言い換えると、端末装置は、自身の機能を基地局装置に上位層の信号で送信する。
【００９０】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００９１】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（
パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９２】
また、例えば、ＭＵＳＴに対応する機能が複数ある場合、端末装置は、機能毎にサポートするかどうかを示す情報を送信することができる。例えば、ＭＵＳＴに対応する機能とは、マルチユーザ干渉（ＰＤＳＣＨの干渉）を除去又は抑圧できる能力、アンテナポート、スクランブリングアイデンティティ及びレイヤ数を示す複数のテーブルに対応している能力、所定数のアンテナポート数に対応している能力、キャリアアグリゲーションのＣＣ数やリソースブロック数に対応している能力、所定の送信モードに対応している能力の一部又は全部である。所定の送信モードに対応している能力とは、例えば、ＭＵＳＴ適用可能な送信モードの組合せやＭＵＳＴの干渉を除去又は抑圧できる送信モードに対応可能かどうか、などである。また端末装置は、サポートしているＭＵＳＴ適用可能なチャネルを基地局装置に送信することができる。ＭＵＳＴ適用可能なチャネルは、例えば、ＰＤＳＣＨとＰＤＳＣＨの重畳送信や、ＰＭＣＨとＰＭＣＨの重畳送信、ＰＤＣＣＨとＰＤＣＣＨの重畳送信、ＥＰＤＣＣＨとＥＰＤＣＣＨの重畳送信などである。
【００９３】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００９４】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９５】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００９６】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００９７】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００９８】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modula
tion）、６４ＱＡＭ、２５６ＱＡＭ等の予め定められた、または無線リソース制御部１０１１が決定した変調方式で変調する。
【００９９】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【０１００】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１０１】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１０２】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１０３】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０４】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０５】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１０６】
また、多重分離部１０４２は、ＰＵＣＣＨとＰＵＳＣＨの伝搬路の補償を行なう。また、多重分離部１０４２は、上りリンク参照信号を分離する。
【０１０７】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１０８】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報
を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０９】
図８は、本実施形態における端末装置２の構成を示す概略ブロック図である。図８に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１０】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１１１】
上位層処理部２０１は、自端末装置がサポートしている端末装置の機能を示す情報を、送信部２０３に出力する。
【０１１２】
無線リソース制御部２０１１は、自端末装置の各種設定情報の管理をする。また、無線リソース制御部２０１１は、上りリンクの各チャネルに配置される情報を生成し、送信部２０３に出力する。
【０１１３】
無線リソース制御部２０１１は、基地局装置から送信されたＣＳＩフィードバックに関する設定情報を取得し、制御部２０２に出力する。
【０１１４】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１５】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１１６】
制御部２０２は、チャネル状態情報生成部２０５が生成したＣＳＩを基地局装置に送信するように送信部２０３を制御する。
【０１１７】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１１８】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１１９】
また、無線受信部２０４１は、変換したディジタル信号からＣＰに相当する部分を除去し、ＣＰを除去した信号に対して高速フーリエ変換を行い、周波数領域の信号を抽出する。
【０１２０】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２１】
信号検出部２０４３は、ＰＤＳＣＨ、チャネル推定値を用いて、信号検出し、上位層処理部２０１に出力する。
【０１２２】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１２３】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２４】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２５】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２６】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１２７】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成
分を除去し、アップコンバートにより搬送周波数に変換し、電力増幅し、送受信アンテナ２０６に出力して送信する。
【０１２８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１２９】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１３０】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形
態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１３４】
本発明は、基地局装置、端末装置および通信方法に用いて好適である。
【符号の説明】
【０１３５】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019024147.tif 000003
【図２】
2019024147.tif 000004
【図３】
2019024147.tif 000005
【図４】
2019024147.tif 000006
【図５】
2019024147.tif 000007
【図６】
2019024147.tif 000008
【図７】
2019024147.tif 000009
【図８】
2019024147.tif 000010